(57)【特許請求の範囲】
【請求項１】
第２の無線ローカルエリアネットワーク（ＷＬＡＮ）近傍サービス（ＰｒｏＳｅ）対応無線送受信ユニット（ＷＴＲＵ）と直接ＷＬＡＮ  ＰｒｏＳｅ接続を確立する第１のＷＬＡＮ  ＰｒｏＳｅ対応ＷＴＲＵにおける方法であって、
前記第１のＷＬＡＮ  ＰｒｏＳｅ対応ＷＴＲＵからセルラーネットワークノードに、前記第２のＷＬＡＮ  ＰｒｏＳｅ対応ＷＴＲＵとのＷＬＡＮ  ＰｒｏＳｅ接続を確立する要求を送信することであって、前記要求は、前記第２のＷＬＡＮ  ＰｒｏＳｅ対応ＷＴＲＵの識別であるアプリケーションＩＤを含む、ことと、
前記第２のＷＬＡＮ  ＰｒｏＳｅ対応ＷＴＲＵに関連付けられた構成情報を前記セルラーネットワークノードから受信することであって、前記構成情報は、少なくとも前記第２のＷＬＡＮ  ＰｒｏＳｅ対応ＷＴＲＵに関連付けられたＷＬＡＮ  ＰｒｏＳｅ  ＩＤ、セキュリティキー、周波数またはチャネル数、ビーコン間隔およびタイミング情報を含む、ことと、
前記第２のＷＬＡＮ  ＰｒｏＳｅ対応ＷＴＲＵに関連付けられた構成情報を使用することによって、前記第２のＷＬＡＮ  ＰｒｏＳｅ対応ＷＴＲＵとの直接ＷＬＡＮ  ＰｒｏＳｅ接続を確立することと
を備える方法。
【請求項２】
ＷＬＡＮ  ＰｒｏＳｅ能力を前記ネットワークノードに送信することをさらに備える、請求項１の方法。
【請求項３】
前記ＷＬＡＮ  ＰｒｏＳｅ  ＩＤを使用して、発見プロセスを実行することをさらに備える、請求項１の方法。
【請求項４】
前記第１のＷＬＡＮ  ＰｒｏＳｅ対応ＷＴＲＵの位置情報を前記ネットワークノードに送信することをさらに備える、請求項１の方法。
【請求項５】
前記構成情報は、無線リソース制御（ＲＲＣ）または非アクセス層（ＮＡＳ）メッセージの１つである、請求項１の方法。
【請求項６】
第２の無線ローカルエリアネットワーク（ＷＬＡＮ）近傍サービス（ＰｒｏＳｅ）対応無線送受信ユニット（ＷＴＲＵ）と直接ＷＬＡＮ  ＰｒｏＳｅ接続を確立する第１のＷＬＡＮ  ＰｒｏＳｅ対応ＷＴＲＵであるＷＴＲＵであって、
前記第２のＷＬＡＮ  ＰｒｏＳｅ対応ＷＴＲＵとのＷＬＡＮ  ＰｒｏＳｅ接続を確立する要求をセルラーネットワークノードに送信するように構成された送信機であって、前記要求は、前記第２のＷＬＡＮ  ＰｒｏＳｅ対応ＷＴＲＵの識別であるアプリケーションＩＤを含む、送信機と、
前記第２のＷＬＡＮ  ＰｒｏＳｅ対応ＷＴＲＵに関連付けられた構成情報を前記セルラーネットワークノードから受信するように構成された受信機であって、前記構成情報は、少なくとも前記第２のＷＬＡＮ  ＰｒｏＳｅ対応ＷＴＲＵに関連付けられたＷＬＡＮ  ＰｒｏＳｅ  ＩＤ、セキュリティキー、周波数またはチャネル数、ビーコン間隔およびタイミング情報を含む、受信機と、
を備え、
前記ＷＴＲＵは、前記第２のＷＬＡＮ  ＰｒｏＳｅ対応ＷＴＲＵに関連付けられた構成情報を使用することによって、前記第２のＷＬＡＮ  ＰｒｏＳｅ対応ＷＴＲＵとの直接ＷＬＡＮ  ＰｒｏＳｅ接続を確立するように構成された、ＷＴＲＵ。
【請求項７】
前記送信機は、ＷＬＡＮ  ＰｒｏＳｅ能力を前記ネットワークノードに送信するようにさらに構成される、請求項６のＷＴＲＵ。
【請求項８】
前記ＷＴＲＵは、前記ＷＬＡＮ  ＰｒｏＳｅ  ＩＤを使用して、発見プロセスを実行するように構成される、請求項６のＷＴＲＵ。
【請求項９】
前記送信機は、前記第１のＷＬＡＮ  ＰｒｏＳｅ対応ＷＴＲＵの位置情報を前記ネットワークノードに送信するようにさらに構成される、請求項６のＷＴＲＵ。
【請求項１０】
前記構成情報は、無線リソース制御（ＲＲＣ）または非アクセス層（ＮＡＳ）メッセージの１つである、請求項６のＷＴＲＵ。
【発明の詳細な説明】
【技術分野】
【０００１】
本出願は、その内容が参照により本明細書に組み込まれている、2012年11月1日に出願された米国特許仮出願第61/721,321号の利益を主張する。
【背景技術】
【０００２】
近傍ベース（proximity-based）のサービスは、互いの近傍内にあるデバイスを含む。これらのデバイスは、例えばそれらが同様のアプリケーションを実行している場合、データを交換することができる。
【０００３】
現在、トラフィックおよびシグナリングは一般的にネットワークでルーティングされ、近傍ベースのサービスは広く実行されていない。しかしながら、商業的／社会的利用、ネットワークオフローディング、公共安全、現在のインフラストラクチャサービスの統合、および到達可能性およびモビリティ側面を含むユーザ体験の一貫性を確保することを含み、近傍ベースのサービスが望まれる可能性のある広範にわたるアプリケーションがある。
【０００４】
従って、無線ローカルエリアネットワークベースの近傍サービスを可能にする方法および装置が望まれる。
【発明の概要】
【０００５】
無線ローカルエリアネットワーク（ＷＬＡＮ）を可能にするための方法および装置が、本明細書に記載される。トリガまたは要求に基づいて、ＷＬＡＮ近傍サービス（ＰｒｏＳｅ：Proximity Service）対応無線送受信ユニット（ＷＴＲＵ）間でＷＬＡＮ  ＰｒｏＳｅ接続を確立するように、ネットワークが構成されることが可能である。ＷＬＡＮ  ＰｒｏＳｅ接続を確立するためのトリガまたは要求は、ＷＬＡＮ  ＰｒｏＳｅ対応ＷＴＲＵによって生成される、またはネットワークからもたらされることが可能である。この方法はさらに、進化型Ｎｏｄｅ−Ｂ（ｅＮＢ）またはモビリティ管理エンティティ（ＭＭＥ）が、所定のエリアにおいてアクセスポイント（ＡＰ）を発見することをどのように可能にして、ＷＬＡＮ  ＰｒｏＳｅ接続を容易にするかを説明する。記載される他の方法は、接続確立手続きを容易にし、例えば、ネットワークは、無線リソース制御（ＲＲＣ）または非アクセス層（ＮＡＳ）シグナリングによって構成情報をＷＴＲＵに提供して、接続を確立することができる。ＷＬＡＮ  ＰｒｏＳｅ接続は、ＷＬＡＮ  ＡＰまたは（１もしくは複数の）ＷＬＡＮ  ＰｒｏＳｅ対応ＷＴＲＵ間のＷＬＡＮ  ＰｒｏＳｅ直接リンク接続によるものとすることができる。
【０００６】
例示的直接リンク方法では、ＷＬＡＮ  ＰｒｏＳｅ対応ＷＴＲＵが、（１または複数の）他のＷＬＡＮ  ＰｒｏＳｅ対応ＷＴＲＵとのＷＬＡＮ  ＰｒｏＳｅ接続の確立をトリガする、または要求し、ＰｒｏＳｅ発見プロセスが使用されて、（１または複数の）他のＷＬＡＮ  ＰｒｏＳｅ対応ＷＴＲＵの存在を判断する。ＷＴＲＵは、（１または複数の）他のＷＬＡＮ  ＰｒｏＳｅ対応ＷＴＲＵへのＷＬＡＮ  ＰｒｏＳｅ接続を容易にするためにネットワークノードから構成情報を受信する。構成情報は、（１もしくは複数の）他のＷＬＡＮ  ＰｒｏＳｅ対応ＷＴＲＵのＷＬＡＮ  ＩＤ、（１もしくは複数の）他のＷＬＡＮ  ＰｒｏＳｅ対応ＷＴＲＵの媒体アクセス制御（ＭＡＣ）ＩＤ、ＷＬＡＮアクセスポイントサービスセット識別（ＳＳＩＤ）もしくは基本ＳＳＩＤ（ＢＳＳＩＤ）、周波数もしくはチャネル数、ビーコン間隔、およびタイミング情報のうちの１つを含む。
【図面の簡単な説明】
【０００７】
例として添付図面と併せて行われる次の説明から、より詳細に理解することができる。
【図１Ａ】１または複数の開示される実施形態が実行されることが可能である例示的通信システムのシステム図である。
【図１Ｂ】図１Ａに示す通信システム内で使用されることが可能である例示的無線送受信ユニット（ＷＴＲＵ）のシステム図である。
【図１Ｃ】図１Ａに示す通信システム内で使用されることが可能である例示的無線アクセスネットワークおよび例示的コアネットワークのシステム図である。
【図２】ネットワークまたは無線送受信ユニット（ＷＴＲＵ）が、それらが所定の近傍内にあると判断する例示的シナリオを示す図である。
【図３】近傍通信のための追加パスの例を示す図である。
【図４】通信用のデータパスがエアインタフェースを通じてＷＴＲＵからＷＴＲＵへ直接的なものである例を示す図である。
【図５】通信トラフィックがＷｉ−Ｆｉを通じてオフロードされる例示的方法を示す図である。
【図６】無線ローカルエリアネットワーク（ＷＬＡＮ）を使用して近傍サービス（ＰｒｏＳｅ）を可能にする２つの例示的事例を示す図である。
【図７】ＷＬＡＮ  ＡＰ経由のＷＬＡＮ  ＰｒｏＳｅ接続性のための例示的方法の流れ図である。
【図８】少なくとも２つのＷＬＡＮ  ＰｒｏＳｅ対応ＷＴＲＵ間の直接リンク接続のフローチャートを示す図である。
【図９】ＷＬＡＮ  ＰｒｏＳｅ接続を可能にする方法のフローチャートである。
【発明を実施するための形態】
【０００８】
図１Ａは、１または複数の開示される実施形態が実行され得る例示的通信システム１００の図である。通信システム１００は、音声、データ、映像、メッセージング、放送等のコンテンツを、複数の無線ユーザに提供する多元接続システムとすることができる。通信システム１００は、複数の無線ユーザが無線帯域幅を含むシステムリソースの共有によってこのようなコンテンツにアクセスできるようにすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの、１または複数のチャネルアクセス方法を使用することができる。
【０００９】
図１Ａに示すように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話ネットワーク（ＰＳＴＮ）１０８、インターネット１１０、および他のネットワーク１１２を含むことができるが、開示する実施形態は、任意の数のＷＴＲＵ、基地局、ネットワークおよび／またはネットワーク要素についても考えることは理解されよう。ＷＴＲＵ１０２ａ、１０２ｂ、１０２ｃ、１０２ｄのそれぞれは、無線環境で動作し、かつ／または通信するように構成された任意のタイプのデバイスであることも可能である。例えば、ＷＴＲＵ１０２ａ、１０２ｂ、１０２ｃ、１０２ｄは、無線信号を送信および／または受信するように構成されることが可能であり、ユーザ機器（ＵＥ）、移動局、固定もしくは移動加入者ユニット、ページャ、携帯電話、携帯情報端末（ＰＤＡ）、スマートフォン、ラップトップ、ネットブック、パーソナルコンピュータ、無線センサ、家庭用電化製品などを含むことができる。
【００１０】
通信システム１００はまた、基地局１１４ａおよび基地局１１４ｂを含むことができる。基地局１１４ａ、１１４ｂのそれぞれは、ＷＴＲＵ１０２ａ、１０２ｂ、１０２ｃ、１０２ｄの少なくとも１つとワイヤレスにインタフェースし、コアネットワーク１０６、インターネット１１０、および／またはネットワーク１１２などの、１または複数の通信ネットワークへのアクセスを容易にするように構成された任意のタイプのデバイスとすることもできる。例えば、基地局１１４ａ、１１４ｂは、無線基地局（ＢＴＳ）、Ｎｏｄｅ−Ｂ、ｅＮｏｄｅ  Ｂ、Ｈｏｍｅ  Ｎｏｄｅ  Ｂ、Ｈｏｍｅ  ｅＮｏｄｅ  Ｂ、サイトコントローラ、アクセスポイント（ＡＰ）、無線ルータなどである可能性がある。基地局１１４ａ、１１４ｂは、それぞれ単一要素として示されているが、基地局１１４ａ、１１４ｂは、任意の数の相互に接続された基地局および／またはネットワーク要素も含む可能性があることは理解されよう。
【００１１】
基地局１１４ａは、ＲＡＮ１０４の一部とすることができ、ＲＡＮ１０４は、基地局コントローラ（ＢＳＣ）、無線ネットワークコントローラ（ＲＮＣ）、リレーノード、その他など、他の基地局および／またはネットワーク要素（図示せず）も含むことがある。基地局１１４ａおよび／または基地局１１４ｂは、セル（図示せず）と呼ばれることがある特定の地理的領域内の無線信号を送信および／または受信するように構成されることが可能である。セルはさらに、セルセクタに分割されることができる。例えば、基地局１１４ａと関連するセルは、３つのセクタに分割されることができる。従って、一実施形態では、基地局１１４ａは３つのトランシーバ、すなわちセルの各セクタに１つを含むことができる。別の実施形態では、基地局１１４ａは、多入力多出力（ＭＩＭＯ）技術を使用することができ、従って、セルの各セクタに複数のトランシーバを利用することができる。
【００１２】
基地局１１４ａ、１１４ｂは、エアインタフェース１１６によってＷＴＲＵ１０２ａ、１０２ｂ、１０２ｃ、１０２ｄの１または複数と通信することができ、エアインタフェース１１６は、任意の好適な無線通信リンク（例えば、無線周波数（ＲＦ）、マイクロ波、赤外線（ＩＲ）、紫外線（ＵＶ）、可視光線等）であってもよい。エアインタフェース１１６は、任意の好適な無線アクセス技術（ＲＡＴ）を使用して確立されることもできる。
【００１３】
より詳細には、上記のように、通信システム１００は、多元接続システムであることが可能であり、ＣＤＭＡ、ＴＤＭＡ、ＦＤＭＡ、ＯＦＤＭＡ、ＳＣ−ＦＤＭＡなどの、１または複数のチャネルアクセス方式を使用することができる。例えば、ＲＡＮ１０４中の基地局１１４ａおよびＷＴＲＵ１０２ａ、１０２ｂ、１０２ｃは、広帯域ＣＤＭＡ（ＷＣＤＭＡ（登録商標））を使用してエアインタフェース１１６を確立することができるユニバーサル移動体通信システム（ＵＭＴＳ）地上無線アクセス（ＵＴＲＡ）などの無線技術を実装することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１４】
別の実施形態では、基地局１１４ａおよびＷＴＲＵ１０２ａ、１０２ｂ、１０２ｃは、ＬＴＥ（登録商標）（Long Term Evolution）および／またはＬＴＥアドバンスト（ＬＴＥ−Ａ）を使用してエアインタフェース１１６を確立することができる、進化型ＵＭＴＳ地上無線アクセス（Ｅ−ＵＴＲＡ）などの無線技術を実装することができる。
【００１５】
別の実施形態では、基地局１１４ａおよびＷＴＲＵ１０２ａ、１０２ｂ、１０２ｃは、ＩＥＥＥ  ８０２．１６（すなわち、ＷｉＭＡＸ（Worldwide Interoperability for Microwave Access））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、ＧＳＭ（登録商標）（Global System for Mobile communications）、ＥＤＧＥ（Enhanced Data rates for GSM Evolution）、ＧＳＭ  ＥＤＧＥ（ＧＥＲＡＮ）などの無線技術を実装することができる。
【００１６】
図１Ａの基地局１１４ｂは、例えば、無線ルータ、Ｈｏｍｅ  Ｎｏｄｅ  Ｂ、Ｈｏｍｅ  ｅＮｏｄｅ  Ｂ、またはアクセスポイントとすることができ、職場、家庭、車、学校などの局所的エリアにおける無線接続性を容易にするための任意の好適なＲＡＴを利用することもできる。一実施形態では、基地局１１４ｂおよびＷＴＲＵ１０２ｃ、１０２ｄは、ＩＥＥＥ  ８０２．１１などの無線技術を実装して、無線ローカルエリアネットワーク（ＷＬＡＮ）を確立することができる。別の実施形態では、基地局１１４ｂおよびＷＴＲＵ１０２ｃ、１０２ｄは、ＩＥＥＥ  ８０２．１５などの無線技術を実装して、無線パーソナルエリアネットワーク（ＷＰＡＮ）を確立することができる。さらに別の実施形態では、基地局１１４ｂおよびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を使用して、ピコセルまたはフェムトセルを確立することができる。図１Ａに示すように、基地局１１４ｂは、インターネット１１０への直接接続を有することができる。従って、基地局１１４ｂは、コアネットワーク１０６を介してインターネット１１０にアクセスすることを必要とされないことがある。
【００１７】
ＲＡＮ１０４は、コアネットワーク１０６と通信していることが可能であり、コアネットワーク１０６は、音声、データ、アプリケーション、および／またはＶｏＩＰ（voice over internet protocol）サービスをＷＴＲＵ１０２ａ、１０２ｂ、１０２ｃ、１０２ｄの１または複数に提供するように構成された任意のタイプのネットワークであってもよい。例えば、コアネットワーク１０６は、呼制御、課金サービス、移動体位置情報サービス、プリペイド通話、インターネット接続性、映像分配などを提供すること、および／または、ユーザ認証などの高レベルセキュリティ機能を行うことができる。図１Ａには示していないが、ＲＡＮ１０４および／またはコアネットワーク１０６は、ＲＡＮ１０４と同じＲＡＴを、または異なるＲＡＴを使用する他のＲＡＮと直接通信または間接通信していることが可能であることは理解されよう。例えば、Ｅ−ＵＴＲＡ無線技術を使用している可能性があるＲＡＮ１０４に接続されていることに加えて、コアネットワーク１０６は、ＧＳＭ無線技術を使用している別のＲＡＮ（図示しない）とも通信している可能性がある。
【００１８】
コアネットワーク１０６は、ＷＴＲＵ１０２ａ、１０２ｂ、１０２ｃ、１０２ｄが、ＰＳＴＮ１０８、インターネット１１０、および／または他のネットワーク１１２にアクセスするためのゲートウェイとして働くこともできる。ＰＳＴＮ１０８は、旧来の電話サービス（ＰＯＴＳ）を提供する回線交換電話ネットワークを含むことができる。インターネット１１０は、ＴＣＰ／ＩＰインターネットプロトコルスイート中のＴＣＰ（transmission control protocol）、ＵＤＰ（user datagram protocol）、インターネットプロトコル（ＩＰ）など、共通の通信プロトコルを使用する、相互接続されたコンピュータネットワークおよびデバイスのグローバルシステムを含むことができる。ネットワーク１１２は、他のサービスプロバイダによって所有されるおよび／または運用される有線通信ネットワークまたは無線通信ネットワークを含むことができる。例えばネットワーク１１２は、ＲＡＮ１０４と同じＲＡＴを、または異なるＲＡＴを使用することができる、１または複数のＲＡＮに接続された別のコアネットワークを含むことができる。
【００１９】
通信システム１００のＷＴＲＵ１０２ａ、１０２ｂ、１０２ｃ、１０２ｄの一部または全部は、マルチモード能力を含むことができる、すなわち、ＷＴＲＵ１０２ａ、１０２ｂ、１０２ｃ、１０２ｄは、様々な無線リンクを通じて様々な無線ネットワークと通信するための複数のトランシーバを含むことができる。例えば、図１Ａに示すＷＴＲＵ１０２ｃは、セルラベースの無線技術を使用することができる基地局１１４ａおよびＩＥＥＥ  ８０２無線技術を使用することができる基地局１１４ｂと通信するように構成されることが可能である。
【００２０】
図１Ｂは、例示的ＷＴＲＵ１０２のシステム図である。図１Ｂに示すように、ＷＴＲＵ１０２は、プロセッサ１１８、トランシーバ１２０、送受信要素１２２、スピーカ／マイク１２４、キーパッド１２６、ディスプレイ／タッチパッド１２８、非リムーバブルメモリ１３０、リムーバブルメモリ１３２、電源１３４、ＧＰＳチップセット１３６、および他の周辺機器１３８を含むことができる。ＷＴＲＵ１０２は、依然として一実施形態と一致していながら、前述の要素の任意のサブコンビネーションも含むことができることは理解されよう。
【００２１】
プロセッサ１１８は、汎用プロセッサ、専用プロセッサ、従来のプロセッサ、デジタル信号プロセッサ（ＤＳＰ）、複数のマイクロプロセッサ、ＤＳＰコアと関連する１または複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などであることも可能である。プロセッサ１１８は、信号符号化、データ処理、電力制御、入出力処理、および／またはＷＴＲＵ１０２が無線環境で動作できるようにする他の任意の機能も行うことができる。プロセッサ１１８は、送受信要素１２２に結合されることが可能であるトランシーバ１２０に結合されることが可能である。図１Ｂはプロセッサ１１８およびトランシーバ１２０を別個の構成要素として示しているが、プロセッサ１１８およびトランシーバ１２０は、電子部品パッケージまたはチップに共に統合されることが可能であることは理解されるであろう。
【００２２】
送受信要素１２２は、エアインタフェース１１６を通じて基地局（例えば、基地局１１４ａ）へ信号を送信する、または基地局（例えば、基地局１１４ａ）から信号を受信するように構成されることが可能である。例えば、一実施形態では、送受信要素１２２は、ＲＦ信号を送信するおよび／または受信するように構成されたアンテナであることが可能である。別の実施形態では、送受信要素１２２は、例えば、ＩＲ、ＵＶ、または可視光線信号を送信し、かつ／または受信するように構成されたエミッタ／検波器であることが可能である。さらに別の実施形態では、送受信要素１２２は、ＲＦと光信号の両方を送受信するように構成されることが可能である。送受信要素１２２は、無線信号の任意の組合せも送信し、かつ／または受信するように構成され得ることは理解されよう。
【００２３】
さらに、送受信要素１２２は図１Ｂでは単一要素として描かれているが、ＷＴＲＵ１０２は任意の数の送受信要素１２２も含むことができる。さらに詳細には、ＷＴＲＵ１０２は、ＭＩＭＯ技術を使用することができる。従って、一実施形態では、ＷＴＲＵ１０２は、エアインタフェース１１６を通じて無線信号を送受信するための２つ以上の送受信要素１２２（例えば複数のアンテナ）を含むことができる。
【００２４】
トランシーバ１２０は、送受信要素１２２によって送信される信号を変調し、送受信要素１２２によって受信される信号を復調するように構成されることができる。上述のように、ＷＴＲＵ１０２は、マルチモード能力を有することができる。従って、トランシーバ１２０は、ＷＴＲＵ１０２が例えばＵＴＲＡおよびＩＥＥＥ  ８０２．１１など、複数のＲＡＴによって通信できるようにするための複数のトランシーバを含むことができる。
【００２５】
ＷＴＲＵ１０２のプロセッサ１１８は、スピーカ／マイク１２４、キーパッド１２６、および／またはディスプレイ／タッチパッド１２８（例えば、液晶ディスプレイ（ＬＣＤ）ディスプレイユニットもしくは有機発光ダイオード（ＯＬＥＤ）ディスプレイユニット）に結合することができ、これらからユーザ入力データを受信することができる。プロセッサ１１８は、スピーカ／マイク１２４、キーパッド１２６、および／またはディスプレイ／タッチパッド１２８にユーザデータを出力することもできる。さらにプロセッサ１１８は、非リムーバブルメモリ１３０および／またはリムーバブルメモリ１３２など、任意のタイプの好適なメモリからの情報にアクセスすることも、および任意のタイプの好適なメモリにデータを格納することもできる。非リムーバブルメモリ１３０には、ＲＡＭ、ＲＯＭ、ハードディスク、または任意の他のタイプのメモリ記憶装置も含まれる。リムーバブルメモリ１３２は、加入者アイデンティティモジュール（ＳＩＭ）カード、メモリスティック、セキュアデジタル（ＳＤ）メモリカードなどを含むことができる。他の実施形態では、プロセッサ１１８は、サーバまたは家庭用コンピュータ（図示せず）など、ＷＴＲＵ１０２に物理的に位置していないメモリからの情報にアクセスする、およびこのメモリにデータを格納することができる。
【００２６】
プロセッサ１１８は、電源１３４から電力を受け取ることができ、ＷＴＲＵ１０２内の他の構成要素に対して電力を分配および／または制御するように構成されることが可能である。電源１３４は、ＷＴＲＵ１０２に電力を供給するための任意の好適なデバイスであってもよい。例えば、電源１３４は、１または複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）、その他）、太陽電池、燃料電池などを含むことができる。
【００２７】
プロセッサ１１８は、ＷＴＲＵ１０２の現在の位置に関する位置情報（例えば、経度および緯度）を提供するように構成されることが可能であるＧＰＳチップセット１３６に結合されることも可能である。ＧＰＳチップセット１３６からの情報に加えて、またはこれに代えて、ＷＴＲＵ１０２は基地局（例えば基地局１１４ａ、１１４ｂ）からエアインタフェース１１６を通じて位置情報を受信する、および／または２以上の近傍基地局から受信されている信号のタイミングに基づいてその位置を決定することができる。ＷＴＲＵ１０２は、依然として一実施形態と一致していながら、任意の好適な位置決定方法によって位置情報を取得することができることは理解されよう。
【００２８】
プロセッサ１１８は、他の周辺機器１３８にさらに結合されることが可能であり、他の周辺機器１３８は、追加の特徴、機能性、および／または有線接続性もしくは無線接続性を提供する１または複数のソフトウェアモジュールおよび／またはハードウェアモジュールを含むことができる。例えば、周辺機器１３８は、加速度計、ｅコンパス、衛星トランシーバ、デジタルカメラ（写真またはビデオ用）、ユニバーサルシリアルバス（ＵＳＢ）ポート、振動デバイス、テレビジョントランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含むことができる。
【００２９】
図１Ｃは、一実施形態によるＲＡＮ１０４およびコアネットワーク１０６のシステム図である。上記のように、ＲＡＮ１０４は、Ｅ−ＵＴＲＡ無線技術を使用して、エアインタフェース１１６を通じてＷＴＲＵ１０２ａ、１０２ｂ、１０２ｃと通信することができる。ＲＡＮ１０４は、コアネットワーク１０６と通信していることもある。
【００３０】
ＲＡＮ１０４は、ｅＮｏｄｅ−Ｂ１４０ａ、１４０ｂ、１４０ｃを含むことができるが、ＲＡＮ１０４は、依然として一実施形態と一致していながら、任意の数のｅＮｏｄｅ−Ｂを含むことができることは理解されよう。ｅＮｏｄｅ−Ｂ１４０ａ、１４０ｂ、１４０ｃは、それぞれエアインタフェース１１６を通じてＷＴＲＵ１０２ａ、１０２ｂ、１０２ｃと通信するための１または複数のトランシーバを含むことができる。一実施形態では、ｅＮｏｄｅ−Ｂ１４０ａ、１４０ｂ、１４０ｃは、ＭＩＭＯ技術を実装することができる。従って、例えばｅＮｏｄｅ−Ｂ１４０ａは、複数のアンテナを使用してＷＴＲＵ１０２ａに無線信号を送信し、ＷＴＲＵ１０２ａから無線信号を受信することができる。
【００３１】
ｅＮｏｄｅ−Ｂ１４０ａ、１４０ｂ、１４０ｃのそれぞれは、特定のセル（図示せず）と関連付けられることが可能であり、無線リソース管理決定、ハンドオーバ決定、アップリンクおよび／またはダウンリンクにおけるユーザのスケジューリングなどを処理するように構成されることが可能である。図１Ｃに示すように、ｅＮｏｄｅ−Ｂ１４０ａ、１４０ｂ、１４０ｃは、Ｘ２インタフェースを通じて互いと通信することができる。
【００３２】
図１Ｃに示すコアネットワーク１０６は、モビリティ管理ゲートウェイ（ＭＭＥ）１４２、サービングゲートウェイ１４４およびパケットデータネットワーク（ＰＤＮ）ゲートウェイ１４６を含むことができる。前述の要素の各々はコアネットワーク１０６の一部として示されているが、これらの要素の何れか１つがコアネットワーク事業者以外のエンティティによって所有される、および／または運営される場合があることは理解されよう。
【００３３】
ＭＭＥ１４２は、Ｓ１インタフェースを介してＲＡＮ１０４中のｅＮｏｄｅ−Ｂ１４２ａ、１４２ｂ、１４２ｃのそれぞれに接続されることが可能であり、制御ノードとして働くことができる。例えば、ＭＭＥ１４２は、ＷＴＲＵ１０２ａ、１０２ｂ、１０２ｃのユーザを認証すること、ベアラ活性化（activation）／非活性化（deactivation）、ＷＴＲＵ１０２ａ、１０２ｂ、１０２ｃの最初のアタッチ中に特定のサービングゲートウェイを選択することを担うことができる。ＭＭＥ１４２はまた、ＲＡＮ１０４と、ＧＳＭまたはＷＣＤＭＡなど他の無線技術を使用する他のＲＡＮ（図示せず）との間で切り替えるための制御プレーン機能を提供することができる。
【００３４】
サービングゲートウェイ１４４は、Ｓ１インタフェースを介してＲＡＮ１０４中のｅＮｏｄｅ  Ｂ１４０ａ、１４０ｂ、１４０ｃのそれぞれに接続されることが可能である。サービングゲートウェイ１４４は、一般的に、ユーザのデータパケットをＷＴＲＵ１０２ａ、１０２ｂ、１０２ｃへ／ＷＴＲＵ１０２ａ、１０２ｂ、１０２ｃからルーティングし、転送することができる。サービングゲートウェイ１４４はまた、ｅＮｏｄｅＢ間のハンドオーバ中にユーザプレーンをアンカリングすること、ダウンリンクデータがＷＴＲＵ１０２ａ、１０２ｂ、１０２ｃに使用できるときページングをトリガすること、ＷＴＲＵ１０２ａ、１０２ｂ、１０２ｃのコンテキストを管理し、格納することなど、他の機能を行うこともできる。
【００３５】
サービングゲートウェイ１４４はまた、ＰＤＮゲートウェイ１４６に接続することができ、ＰＤＮゲートウェイ１４６がＷＴＲＵ１０２ａ、１０２ｂ、１０２ｃに、インターネット１１０などのパケット交換ネットワークへのアクセスを提供して、ＷＴＲＵ１０２ａ、１０２ｂ、１０２ｃとＩＰ対応デバイスとの間の通信を容易にすることができる。
【００３６】
コアネットワーク１０６は、他のネットワークとの通信を容易にすることができる。例えば、コアネットワーク１０６はＷＴＲＵ１０２ａ、１０２ｂ、１０２ｃに、ＰＳＴＮ１０８などの回線交換ネットワークへのアクセスを提供し、ＷＴＲＵ１０２ａ、１０２ｂ、１０２ｃと伝統的な固定通信デバイスとの間の通信を容易にすることができる。例えば、コアネットワーク１０６は、コアネットワーク１０６とＰＳＴＮ１０８との間のインタフェースとして働くＩＰゲートウェイ（例えば、ＩＰマルチメディアサブシステム（ＩＭＳ）サーバ）を含むことができる、またはＩＰゲートウェイと通信することができる。さらにコアネットワーク１０６は、ＷＴＲＵ１０２ａ、１０２ｂ、１０２ｃにネットワーク１１２へのアクセスを提供することができ、ネットワーク１１２は、他のサービスプロバイダによって所有されるおよび／または運営される他の有線ネットワークまたは無線ネットワークを含むことができる。
【００３７】
近傍ベースのサービスは、ＷＴＲＵ近傍発見と、発見可能、コンタクト可能または会話可能であることへのＷＴＲＵ同意と、近傍ＷＴＲＵからＷＴＲＵへの通信と、発見、発見可能性、およびその後の通信の形態に対するネットワークまたはオペレータによる制御性およびポリシーとを含むことができる。
【００３８】
図２は、例示的実施形態における、ＷＴＲＵ１  ２０５、ＷＴＲＵ２  ２１０、ｅＮＢ２１５、ｅＮＢ２２０、並びにサービングゲートウェイ（ＳＧＷ）およびパケットデータネットワークゲートウェイ（ＰＤＮ  ＧＷ）ＳＧＷ／ＰＤＮ  ＧＷ２２５を示し、この実施形態ではネットワークまたはＷＴＲＵ（ＷＴＲＵ１  ２０５、ＷＴＲＵ２  ２１０、または両方）が、それらが所定の近傍内にあると判断している。この実施形態では、ＷＴＲＵ１  ２０５とＷＴＲＵ２  ２１０間の通信が、ｅＮＢ２１５、ｅＮＢ２２０、およびＳＧＷ／ＰＤＮ  ＧＷ２２５などのコアネットワーク（ＣＮ）ノードにより行われる。
【００３９】
近傍ＷＴＲＵ間の通信が、ネットワークによってまたはオペレータによって制御されることが可能である、直接（すなわち、ある距離内の免許を受けた／免許を必要としない（unlicensed）スペクトル中の直接無線パス）、または間接（ネットワーク要素、すなわちセル内／セル間もしくはｅＮＢ内／ｅＮＢ間ネットワーク要素、もしくはＳ−ＧＷなどを介して）などの、他のパスをとるように強化されることが可能である。
【００４０】
図３は、近傍の間接パスの一実施形態におけるＷＴＲＵ１  ３０５、ＷＴＲＵ２  ３１０、ｅＮＢ  ３１５、ｅＮＢ  ３２０、およびＳＧＷ／ＰＤＮ  ＧＷ３２５を示す。この実施形態では、ネットワークまたはＷＴＲＵ（ＷＴＲＵ１  ３０５、ＷＴＲＵ２  ３１０、または両方）は、それらが所定の近傍内にあると判断する。ＷＴＲＵ１  ３０５とＷＴＲＵ２  ３１０間の通信は、ｅＮＢ３１５を介して行われる。
【００４１】
図４は、近傍通信の直接パスの一実施形態におけるＷＴＲＵ１  ４０５、ＷＴＲＵ２  ４１０、ｅＮＢ  ４１５、ｅＮＢ  ４２０、およびＳＧＷ／ＰＤＮ  ＧＷ４２５を示す。この実施形態では、ネットワークまたはＷＴＲＵ（ＷＴＲＵ１  ４０５、ＷＴＲＵ２  ４１０、または両方）は、それらが所定の近傍内にあると判断する。ＷＴＲＵ１  ４０５とＷＴＲＵ２  ４１０との通信は、エアインタフェースを通じて直接行われる。
【００４２】
近傍サービスデータパス選択（直接的、またはインフラストラクチャ中のあるパスを通じて間接的）は、無線もしくはネットワークカバレッジ、負荷状況によって、またはネットワークもしくはオペレータによって設定されたポリシーによって、判断されることが可能である。近傍ベースのサービスは、ネットワーク共有配備（network sharing deployment）においてサポートされると予想される。
【００４３】
別の実施形態では、無線ローカルエリアネットワーク（ＷＬＡＮ）能力を有する近傍サービス（ＰｒｏＳｅ）対応ＷＴＲＵ間で、直接通信が使用されることが可能である。このような通信を可能にするために、第三世代パートナーシッププロジェクト（３ＧＰＰ）進化型パケットコア（ＥＰＣ）は、近傍通信に含まれるＷＴＲＵに、ＷＬＡＮ構成情報を提供することができる。
【００４４】
別の実施形態では、セルラネットワークは、セルラインフラストラクチャパスからＷＬＡＮ  ＰｒｏＳｅパスに、およびその逆に、通信を切り換えるように構成されることが可能である。この切り換えは、例えば、２つのＷＴＲＵが、移動体ネットワークオペレータ（ＭＮＯ）のコアネットワークインフラストラクチャを通じてルーティングされる、（１または複数のフローを含む）データセッションに関与していて、これらのＷＴＲＵがＷＬＡＮ通信範囲内で移動するとき、開始されることが可能である。セルラシステムは、それらのデータセッションをＷＬＡＮ  ＰｒｏＳｅ通信パスに切り換えることができる。その後、同じＷＴＲＵがＷＬＡＮ通信範囲から出るとき、セルラシステムは、それらのデータセッションをもとのＭＮＯのインフラストラクチャパスに切り換えることができる。
【００４５】
Ｗｉ−Ｆｉ（ＷＬＡＮ）が使用されて、ユーザプレーントラフィックから３ＧＰＰ  ＬＴＥシステムをオフロードすることが可能である。一実施形態では、ｅＮＢがＷｉ−Ｆｉアクセスポイント（ＡＰ）と並置されることが可能であり、ｅＮＢがＬＴＥエアインタフェース、およびＷｉ−Ｆｉ  ＡＰエアインタフェースを通じて、データを動的にまたは準静的に送信することができる。ＬＴＥユーザプレーントラフィックは、部分的にまたは全体的に、Ｗｉ−Ｆｉにオフロードされることが可能である。オフロード方法、例えば、オフロードが行われる可能性のあるプロトコル階層（パケットデータコンバージェンスプロトコル（ＰＤＣＰ）、無線リンク制御（ＲＬＣ）など）は、事前設定される、または動的に選択されることが可能である。
【００４６】
図５は、通信トラフィックがＷｉ−Ｆｉを通じてオフロードされる例示的実施形態および方法を示す。この実施形態は、ＡＰ５０５、ｅＮＢ５１０、ＷＴＲＵ５１５、ＳＧＷ５２０、ＭＭＥ５２５、およびＰＤＮ  ＧＷ５３０を示す。ＡＰ５０５は、リンク５４０（情報を交換するためのインタフェースを含む）を介して、並置されたｅＮＢ５１０に接続される。ｅＮＢ５１０は、ＬＴＥリンク／エアインタフェース５５０を通じて送信されているダウンロードトラフィックの一部を、Ｗｉ−Ｆｉリンク／エアインタフェース５６０を通じてオフロードするように構成される。ｅＮＢ５１０が、ＷＴＲＵ５１５がＷｉ−Ｆｉ  ＡＰ５０５に接続されることを判断したという条件で、ｅＮＢ５１０は、Ｗｉ−Ｆｉ  ＡＰリンク５６０を通じてダウンリンクトラフィックをオフロードすることができる。ＷＴＲＵ５１５は、ｅＮＢ５１０およびＷｉ−Ｆｉ  ＡＰ５０５から、ほぼ同時にデータを受信するように構成されることが可能である。アップリンクにおいてＷＴＲＵ５１５は、ＬＴＥエアインタフェース５５０を通じてデータの一部を送信し、Ｗｉ−Ｆｉエアインタフェース５６０を通じてデータの別の部分を送信するように構成されることが可能である。Ｗｉ−Ｆｉ  ＡＰ５０５は、次に、ｅＮＢ５１０とＡＰ５０５を接続するインタフェース５４０を介して、ＷＴＲＵ５１５から受信されたデータをｅＮＢ５１０に転送するように構成されることが可能である。
【００４７】
２つのＷＴＲＵ間の近傍接続を可能にするために、近傍サービス（ＰｒｏＳｅ）サーバまたは機能と呼ばれる３ＧＰＰネットワークアーキテクチャにおいて、新しいネットワークノードが定義されている。（ＥＰＳの一部としての）ネットワークのＰｒｏＳｅサーバは、ＰｒｏＳｅアプリケーションサーバへの、ＥＰＣおよびＷＴＲＵへの、参照点を有する。この機能は、以下を含むことができるが、これらに制限されない：第三者アプリケーションへの参照点を介した相互作用；発見および直接通信のためのＷＴＲＵの認可および構成が、非ローミング事例ではホーム公衆陸上移動ネットワーク（ＨＰＬＭＮ）ＰｒｏＳｅ機能によって、およびローミング事例ではＨＰＬＭＮまたは在圏公衆陸上移動ネットワーク（ＶＰＬＭＮ）ＰｒｏＳｅ機能によって、制御される；ＥＰＣレベルＰｒｏＳｅ発見の機能を可能にする；ＰｒｏＳｅ関連の新しい加入者データおよび／データストレージの処理；ＰｒｏＳｅアイデンティティの処理；セキュリティ関連の機能；ポリシー関連の機能のためにＥＰＣへの制御を行う；（ＥＰＣにより、またはＥＰＣの外部で、例えばオフライン課金など）課金のための機能を提供する。
【００４８】
図６は、ＷＬＡＮを使用したＰｒｏＳｅを可能にする２つの例示的実施形態または事例を示す。第１の事例または実施形態６００は、ｅＮＢ６０５、ＷＬＡＮ  ＡＰ６１０、ＷＴＲＵ１  ６１５、およびＷＴＲＵ２  ６２０を含む。ｅＮＢ６０５は、例えばＩ／Ｆインタフェースとすることができるリンク６１２を介してＷＬＡＮ  ＡＰ６１０に接続される。ＷＬＡＮ  ＰｒｏＳｅ接続６２２は、例えばｅＮＢ６０５を介して３ＧＰＰシステムによって制御されることが可能であるＷＬＡＮ  ＡＰ６１０に接続されたデバイス間に示される。第２の事例または実施形態６５０は、ＷＴＲＵ３  ６６０とＷＴＲＵ４  ６７０間の直接リンク接続６７２を示す。この事例６５０では、ＷＬＡＮ  ＰｒｏＳｅ接続６７２にＷＬＡＮ  ＡＰがないことがある。このタイプの直接ＷＬＡＮ  ＰｒｏＳｅ接続６７２は、ＷＬＡＮアドホック接続、Ｗｉ−Ｆｉダイレクトタイプの接続、またはその他の直接リンク接続として実行されることがある。本明細書に以下に記載するように、ＷＬＡＮ  ＰｒｏＳｅ接続６２２および６７２は、ｅＮＢ６０５または３ＧＰＰシステムによって管理されることが可能である。ＷＬＡＮ  ＡＰ６１０の構成は、３ＧＰＰシステムによって提供されることが可能である。３ＧＰＰシステムは、いつＷＬＡＮ  ＰｒｏＳｅ接続を始めるもしくは切断する（tear down）か、またはそれを元の３ＧＰＰベースのＰｒｏＳｅ接続に変更するかを、要求することができる。ＰｒｏＳｅサーバ６８０が、本明細書に以下に説明するように実施形態６００と６５０の両方に使用されるように含まれることがある。ＰｒｏＳｅサーバ６８０と、ＷＴＲＵ６１５、６２０、６６０、および６７０などのＷＴＲＵとの間の通信は、ユーザプレーンまたは制御プレーンを介して行われることが可能である。例えば、通信は、モビリティ管理エンティティ（ＭＭＥ）または非アクセス層（ＮＡＳ）メッセージング間で行われることがある。ＰｒｏＳｅサーバ６８０は、ＰｒｏＳｅ接続を認可し、ＰｒｏＳｅ  ＩＤを割り当てる。セルラシステムまたはネットワークという用語は、３ＧＰＰシステムまたはネットワークを含むが、これらに限定されず、これらはさらに、ＬＴＥシステムまたはネットワークを含むが、これらに限定されない。ＷＬＡＮという用語は、ＷｉＦｉ、８０２．１１ベースのシステムなどを含むが、これらに限定されない。システムおよびネットワークという用語は、同義に使用される。
【００４９】
本明細書には、ＷＬＡＮ  ＰｒｏＳｅ接続を確立するためのトリガが記載される。ＷＬＡＮ  ＰｒｏＳｅ接続を確立するためのトリガは、ＷＴＲＵによって開始されるトリガ、または３ＧＰＰネットワークなどのセルラネットワークからシグナリングされることが可能であるトリガに基づくことが可能である。セルラネットワークは、これらのトリガに基づいてＷＬＡＮ対応ＷＴＲＵ間にＷＬＡＮ  ＰｒｏＳｅ接続を確立することができる。これらのトリガは、既存のＬＴＥベースのＰｒｏＳｅ接続を、例えばＷＬＡＮベースのＰｒｏＳｅ接続に移すために使用されることもある。
【００５０】
ＷＴＲＵは、ユーザ選好（preference）トリガ、アプリケーション選好トリガ、ＷＴＲＵ切り換えトリガ、および公共安全トリガを含む、トリガを開始することができる。
【００５１】
一実施形態では、ユーザ選好トリガが、ＷＬＡＮ  ＰｒｏＳｅ接続を確立するために使用されることがある。ユーザが、例えば課金理由（billing reasons）のために、またはネットワーク帯域幅を節約するために、ＰｒｏＳｅ通信にＷＬＡＮを使用することを好むことがある。ＷＴＲＵは、ＷＬＡＮ  ＰｒｏＳｅオフローディングの選好を選択するための構成／設定を含むことができる。ユーザは、ＰｒｏＳｅの好ましい選択としてＷＬＡＮ  ＰｒｏＳｅを選ぶことができる。この選好は、最初の登録または個別シグナリングがＰｒｏＳｅ接続を要求すると、ネットワークに示されることが可能である。最初の登録で要求が送信される場合、ＷＴＲＵは、ユーザ選好が変わるという条件で再び要求を送信することができる。この表示は、新しいメッセージ（例えば、新しい無線リソース制御（ＲＲＣ）メッセージもしくは新しい非アクセス層（ＮＡＳ）メッセージ）として、または既存のＲＲＣもしくはＮＡＳメッセージ中の新しい情報要素（ＩＥ）として、ネットワークに送信されることが可能である。あるいは、選好のこの変化は、アプリケーションレベルシグナリングとしてＰｒｏＳｅサーバに示されることが可能である。
【００５２】
別の実施形態では、アプリケーション選好トリガが、ＷＬＡＮ  ＰｒｏＳｅ接続を確立するために使用されることがある。ＰｒｏＳｅアプリケーションが、セルラまたは３ＧＰＰベースのＰｒｏＳｅ通信を通じてＷＬＡＮ  ＰｒｏＳｅ通信を使用するようにデフォルト選好を設定するように構成されることが可能である。このようなアプリケーションがＷＴＲＵ上で動作するとき、ＷＴＲＵは、ＷＬＡＮ  ＰｒｏＳｅ接続が好ましいという表示を、アプリケーションレベルシグナリングを介してＰｒｏＳｅサーバに送信することができる。ＰｒｏＳｅサーバは、次に、ＥＰＣネットワーク中のモビリティ管理エンティティ（ＭＭＥ）または他のノードにコンタクトして、ＷＬＡＮ  ＰｒｏＳｅ接続を可能にすることができる。あるいは、アプリケーションがＷＬＡＮ  ＰｒｏＳｅ接続を要求するまたは好むとき、アプリケーションは、アプリケーションとプロトコルスタックの間でＷＴＲＵのオペレーティングシステムのアプリケーションプログラミングインタフェース（ＡＰＩ）にアクセスして、選好を示すことができる。ＷＴＲＵが、アプリケーションがＰｒｏＳｅ通信にＷＬＡＮを使用するよう要求したと判断すると、ＷＴＲＵは、ＲＲＣまたはＮＡＳシグナリングを介してネットワークに表示を直接送信して、ＷＬＡＮ  ＰｒｏＳｅ接続へ接続を確立するまたは切り換えることができる。
【００５３】
別の実施形態では、ＷＴＲＵの１つまたはＷＴＲＵの１つにあるアプリケーションが、ＷＬＡＮ  ＰｒｏＳｅ通信へ切り換える要求を行うとき、これがさらにネットワークをトリガして、他のＷＴＲＵにそのＷＬＡＮ無線を近傍のためにオンにするよう求めることができる。これは、ネットワークが他のＷＴＲＵはＷＬＡＮ  ＰｒｏＳｅ対応可能であると判断したと想定する。
【００５４】
別の実施形態では、ＷＬＡＮ  ＰｒｏＳｅ接続を確立するために、公共安全トリガが使用されることがある。公共安全シナリオでは、ＷＴＲＵは、ＷＬＡＮ  ＰｒｏＳｅおよびＬＴＥ／セルラＰｒｏＳｅの両方を使用して遭難信号を送信するよう構成されることが可能である。これは、遭難信号が受信者に届く機会を増やすことができる。ＷＴＲＵは、災害状況が存在すると判断するように構成されることが可能である。遭難信号を送信するために、ＷＴＲＵは、ＷＬＡＮ無線およびＬＴＥ／セルラ無線の両方を活性化し（activate）、両方を使用して公共安全ＰｒｏＳｅ信号を送信することができる。遭難信号は、ＥＴＷＳ（Earthquake and Tsunami Warning System）型システムまたはそのような災害シナリオに対して実行される何らかの他のシステムによって受信されることが可能である。
【００５５】
ＷＬＡＮベースのＰｒｏＳｅ接続を確立するトリガは、ＥＰＣネットワークの様々なノードから送信されることがある。近傍通信に含まれるＷＴＲＵのＷＬＡＮ能力に基づいて、ネットワークは、ＷＬＡＮ  ＰｒｏＳｅ接続を確立することができる。あるいは、ネットワークは、ＷＴＲＵの能力に基づいて、３ＧＰＰ／セルラベースの近傍接続からＷＬＡＮ  ＰｒｏＳｅ接続への切り換えを開始することができる。トリガは、ＥＰＣネットワークのｅＮＢ、ＭＭＥ、ＰｒｏＳｅサーバまたは別のノードから送信されることができる。
【００５６】
ネットワークにより開始されるトリガの例示的実施形態では、ｅＮＢまたはＭＭＥは、ＷＬＡＮ対応ＷＴＲＵにＷＬＡＮ測定を行って、それらがＷＬＡＮ  ＡＰまたは他のＷＬＡＮ対応ＷＴＲＵと所定の近傍内にあるかどうかを判断するよう、定期的に要求することができる。これらの測定に基づいて、ネットワークは、ＷＬＡＮ／Ｗｉ−Ｆｉ  ＰｒｏＳｅ接続のための接続確立をトリガすることができる。
【００５７】
ネットワークにより開始されるトリガの別の例示的実施形態では、近傍接続に含まれているＷＴＲＵが、ＷＬＡＮ能力をサポートするＰｒｏＳＥエリアに入るとき、ＷＴＲＵは、ＬＴＥ  ＰｒｏＳｅ接続からＷＬＡＮ  ＰｒｏＳｅ接続へ切り換えられることが可能である。例えば、図６に示すように、ｅＮＢがＷＬＡＮ  ＡＰとインタフェースを有するとき、このシナリオは当てはまる可能性がある。ｅＮＢ６０５が、ＷＴＲＵ１  ６１５とＷＴＲＵ２  ６２０の両方が近傍エリアにあり、ＷＬＡＮ  ＡＰ６１０によってサービスを提供されることが可能であると判断するとき、ｅＮＢ６０５は、ｅＮＢ６０５に接続されたＷＬＡＮ  ＡＰ６１０を通して、ＷＴＲＵ１  ６１５およびＷＴＲＵ２  ６２０に、それらの近傍接続をＷＬＡＮ近傍接続に切り換えるよう要求することができる。
【００５８】
ネットワークにより開始されるトリガの別の例示的実施形態では、ネットワークは、例えばネットワークが輻輳しているとき、オフロードの目的で、３ＧＰＰ／セルラベースのＰｒｏＳｅ接続からＷＬＡＮ  ＰｒｏＳｅ接続に切り換えることができる。このシナリオでは、ｅＮＢまたはＭＭＥは、セルラＰｒｏＳｅ接続の要求を受信することができ、ｅＮＢにて所定のレベルの輻輳があると判断することもできる。ｅＮＢは次に、それが輻輳していること、およびそれがセルラＰｒｏＳｅ接続に求められるサービス品質（ＱｏＳ）を満たすことができない可能性があることを、ＭＭＥに示すことができる。そのような表示を受信するとＭＭＥは、ＷＴＲＵにＷＬＡＮ  ＰｒｏＳｅ接続を確立するよう要求することができる。ＷＴＲＵは次に、（例えばそれらが互いを発見していない場合）ＷＬＡＮ近傍発見を行った後、ＷＬＡＮ  ＰｒｏＳｅ接続を確立することができる。
【００５９】
ＷＬＡＮ  ＡＰを介してＷＬＡＮ  ＰｒｏＳｅ接続を行うための方法が本明細書に記載される。このシナリオでは、ＷＬＡＮ  ＰｒｏＳｅ対応ＷＴＲＵが、ＬＴＥネットワークにＷＴＲＵの能力をシグナリングする。このシグナリングは、ＬＴＥネットワークに、近傍通信のためのＷＬＡＮの能力もまた知らせることができる。これらの能力は、アタッチメッセージまたは新しいＮＡＳメッセージに登録されるとＷＴＲＵによって送信されることが可能である。あるいは、ＷＴＲＵは、ＷＴＲＵにおいてＰｒｏＳｅ特性が活性化されるとき、これらの能力を送信することができる。あるいは、ＷＴＲＵは、ＰｒｏＳｅ接続のために、要求またはＰＤＮ接続要求がＷＴＲＵによって送信されるとき、これらの能力を送信することができる。あるいは、ネットワークは、ネットワークがＷＬＡＮ  ＰｒｏＳｅ接続を確立するまたは切り換えることを判断したとき、ＷＴＲＵにＷＬＡＮ能力を送信するよう要求することができる。
【００６０】
ネットワークによるＷＬＡＮ  ＡＰの発見の方法が、本明細書に記載される。上述のように、ＷＬＡＮ  ＰｒｏＳｅ接続は、ＷＬＡＮ  ＡＰを通じて行われる。従って、ネットワークは、ＷＬＡＮ  ＡＰを発見するように構成されることが可能である。ｅＮＢ、ＭＭＥ、または他のネットワークノードは、ＷＬＡＮ  ＡＰが使用されて、ＷＬＡＮ  ＰｒｏＳｅ接続を確立することが可能となるように、所定のエリア、例えばＰｒｏＳｅエリアまたはトラッキングエリアで、ＷＬＡＮ  ＡＰを発見することができる。ｅＮＢ、ＭＭＥ、または他のネットワークノードは、次の方法の１または複数を使用して、ＷＬＡＮ  ＡＰ発見を行うことができる。
【００６１】
ＷＬＡＮ  ＡＰの例示的な一実施形態では、ＷＬＡＮ  ＡＰは、例えば図５に示すように、ｅＮＢと並置されることが可能である。この構成では、ｅＮＢは、ＷＬＡＮ  ＡＰ発見プロセスを行う必要がないことがある。この構成のｅＮＢは、ＷＬＡＮ  ＡＰの資格情報およびＷＬＡＮネットワークのための構成情報を既に分かっていることが可能である。
【００６２】
別の例示的実施形態では、ＷＬＡＮ  ＡＰは、ＬＴＥ／セルラネットワークによって制御されることが可能である第三者ＡＰであることがある。このようなシナリオでは、これらの無線ホットスポットおよびロケーションに関する情報は、ネットワークデータベースにおいて、例えば、運用および保守（Ｏ＆Ｍ）またはアクセスネットワーク発見および選択機能（ＡＮＤＳＦ）ノードにおいて、利用できる可能性がある。ｅＮＢまたはＭＭＥがＷＬＡＮ  ＰｒｏＳｅ接続の確立を開始する必要がある可能性があるとき、それは、Ｏ＆Ｍノードに問い合わせして、所定のエリアの利用できるＷＬＡＮ  ＡＰのリストを判断することができる。このリストに基づいて、ネットワークは次に、ＷＬＡＮ  ＰｒｏＳｅ接続のために、利用できる最良のＷＬＡＮ  ＡＰを選択することができる。
【００６３】
別の例示的実施形態では、ＷＬＡＮ  ＡＰは、それ自体を近傍サーバまたは別のネットワークノードに登録し、ネットワークが所定のＰｒｏＳｅ接続のために最良のＷＬＡＮ  ＡＰを選択できるようにすることができる。ネットワークのｅＮＢまたはＭＭＥは、ＰｒｏＳｅサーバに問い合わせして、利用できるＷＬＡＮ  ＡＰのリストおよびこれらの対応するＷＬＡＮ  ＡＰの構成情報を判断することができる。最良のＷＬＡＮ  ＡＰは、ある所定の基準に基づいて、リストから選択されることが可能であり、その構成情報は、近傍接続に含まれるＷＴＲＵに送信されることが可能である。
【００６４】
本明細書で上述するように、近傍サーバは、ＷＬＡＮ  ＡＰを通じてＷＬＡＮ  ＰｒｏＳｅ接続のためにＷＬＡＮ  ＡＰを登録するように構成されることが可能である。この近傍サーバは、様々な近傍エリアまたはトラッキングエリアでＷＬＡＮ  ＡＰのデータベースを作成するように構成されることが可能である。近傍サーバは、ｅＮＢ、ＭＭＥ、または何らかの他のネットワークノードによって問い合わせされるとき、特定の領域のＷＬＡＮ  ＡＰのリストを提供することができる。
【００６５】
ＷＬＡＮ  ＰｒｏＳｅのための登録は、ＷＬＡＮ  ＡＰアイデンティティ関連情報、セキュリティ関連情報、および位置関連情報などのパラメータを含むことができる。
【００６６】
ＷＬＡＮ  ＡＰアイデンティティ関連情報に関するパラメータ（例えば、８０２．１１  ＷＬＡＮネットワーク識別に必要とされるパラメータ）は、次のうちの少なくとも１つを含むことができる：ＷＬＡＮ／Ｗｉ−Ｆｉネットワークのアイデンティティ（例えば、基本サービスセット識別（ＳＳＩＤ）および／もしくは媒体アクセス制御（ＭＡＣ）アドレス）、例えば加入者ベースのパラメータなどのアクセス資格情報（credential）、動作チャネル／動作周波数、並びに／またはサポートされるアクセスデータレート。
【００６７】
セキュリティ関連情報に関するパラメータ（例えば、８０２．１１認証に必要なパラメータ）は、少なくともセキュリティプロトコルのタイプ（例えば、ＷＥＰ（Wired Equivalent Privacy）、ＷＰＡ（Wi-Fi Protected Access）またはＷＰＡ  ＩＩ（ＷＰＡ２））を含むことができる。セキュリティ関連情報は、少なくとも暗号化アルゴリズムのタイプ（例えば、ＴＫＩＰ（Temporal Key Integrity Protocol）、事前共有鍵モード（ＰＳＫ））を含むことができる。さらに、セキュリティ関連情報は、セキュリティキーを含むことができ、セキュリティキーは、例えば、１６進数の数字の文字列、ビット文字列などを含むことができる。セキュリティキーは、ＷＬＡＮ／Ｗｉ−Ｆｉデバイスが知られている鍵導出関数を使用してさらに暗号鍵を導き出す、元となる情報に対応することができる。
【００６８】
位置関連情報に関するパラメータは、近傍サービスのための位置エリアを含むことができる。これは、位置のトラッキングエリアＩＤ、またはその下でＷＬＡＮ  ＡＰが動作しているｅＮＢのｅＮＢ  ＩＤを含むことができる。
【００６９】
ＷＬＡＮ  ＰｒｏＳｅのためのデバイス発見の方法が、本明細書に記載される。ＷＬＡＮ  ＰｒｏＳｅ通信が確立される（すなわち、ＷＬＡＮ  ＰｒｏＳｅのためのデータパスが確立される）前に、通信に含まれるＷＴＲＵは、それらが、例えば所定のＱｏＳでＷＬＡＮインタフェースを介してＷＴＲＵが通信できるようにする所定の近傍内にあることを判断する必要があることがある。ネットワークは、発見プロセスを開始することができるＷＴＲＵからＰｒｏＳｅ接続の要求を受信することができる。あるいは、ネットワークが、互いに通信している２つのＷＴＲＵがＷＬＡＮ  ＡＰの所定の近傍にあると判断するとき、発見プロセスが開始されることが可能である。
【００７０】
ＷＬＡＮ  ＡＰを通じて行われるＷＬＡＮ  ＰｒｏＳｅ接続方法において、ネットワークは、ＷＴＲＵからＰｒｏＳｅ接続の要求を受信することができる。ネットワークは、次に３ＧＰＰまたはＬＴＥベースのＰｒｏＳｅ発見プロセスを開始することができる。この３ＧＰＰまたはＬＴＥベースのＰｒｏＳｅ発見プロセスは、ＷＴＲＵがＰｒｏＳｅを介して接続することができると判断することができる。このプロセスが完了すると、ネットワークは、ＷＬＡＮ  ＰｒｏＳｅ接続を確立することができる。この判断は、これまで述べたトリガなどのトリガに少なくとも一部基づくことができる。ネットワークがＷＬＡＮ  ＰｒｏＳｅ接続が確立されるべきであると判断した後、ネットワークは、ＷＬＡＮ  ＰｒｏＳｅ発見を行うように構成されることが可能である。
【００７１】
ＷＬＡＮ  ＰｒｏＳｅ発見を行うための例示的方法が本明細書に記載される。ネットワークがＰｒｏＳｅ接続の要求を受信する時、要求は、ＰｒｏＳｅ接続が確立される可能性のある他のＷＴＲＵの識別情報（例えば、ＰｒｏＳｅ  ＩＤ、近傍ＩＤ、アプリケーションＩＤなど）を含むことができる。ネットワークがＷＬＡＮ  ＰｒｏＳｅのための発見を開始するという条件で、ネットワークは、ＷＬＡＮ発見プロセスのために対応するＷＬＡＮ  ＰｒｏＳｅ識別を送信することができる。この識別は、構成情報の一部として送信されることができる、またはそれは、発見段階で別個に送信されることができる。ｅＮＢは、ＥＰＣネットワーク中のＰｒｏＳｅサーバまたはＭＭＥまたは何らかの他のノードに問い合わせするように構成されることができる。ＷＬＡＮ  ＰｒｏＳｅアイデンティティを提供するネットワークノードは、ＰｒｏＳｅ  ＩＤと対応するＷＬＡＮ  ＰｒｏＳｅ  ＩＤとの間のマッピングを判断することができる。ＰｒｏＳｅ  ＩＤについての問い合わせに応答して、ネットワークノードは、ＷＬＡＮ  ＰｒｏＳｅ  ＩＤを含むメッセージで応答することができる。ネットワークは、近傍接続に含まれるＷＴＲＵのＷＬＡＮ  ＰｒｏＳｅ  ＩＤを問い合わせすることができ、次にＷＬＡＮ  ＰｒｏＳｅ  ＩＤをＷＬＡＮ  ＡＰに送信することができる。ＷＬＡＮ  ＰｒｏＳｅ  ＩＤは、ＷＬＡＮ近傍接続をセットアップするために使用されることができる。ＷＬＡＮ  ＡＰは、この情報を使用して、近傍接続を必要とするＷＴＲＵを発見するように構成されることができる。このＷＬＡＮ  ＰｒｏＳｅ  ＩＤは、次のうちの１または複数とすることができる：１）ＷＴＲＵのＷＬＡＮインタフェースＩＰアドレス、２）ＷＴＲＵのＭＡＣ  ＩＤ、３）ユーザによって設定された、もしくはネットワークによって割り当てられたデバイス名、および／または４）ＷＬＡＮ  ＡＰによって割り当てられたデバイス固有のアイデンティティ。
【００７２】
ネットワークは、ＷＬＡＮ近傍発見を行っているＷＴＲＵに、ＷＬＡＮ  ＡＰ情報を送信するように構成されることができる。ＷＴＲＵは、この情報を受信し、それらがＷＬＡＮ  ＡＰに接続できるかどうかを判断するように構成されることができる。ＷＴＲＵに送信されるＷＴＲＵ  ＡＰ情報は、ＷＬＡＮ  ＡＰ  ＳＳＩＤもしくはＢＳＳＩＤ、周波数および／もしくはチャネル数、ＡＰによってサポートされる８０２．１１技術のタイプ、ビーコン間隔、並びに／または同期情報（例えばタイムスタンプ）を含むことができる。
【００７３】
ＷＴＲＵおよびＡＰは、ＷＬＡＮ無線、およびネットワークによって提供される情報を使用して、それらが互いのＷＬＡＮ無線近傍にいるかどうかを判断することができる。無線近傍を判断するために、ＷＬＡＮ  ＡＰは、ＷＴＲＵの各々にプローブ要求を送信するように構成されることができる。ＷＴＲＵは、ＷＬＡＮ  ＡＰによって送信されるビーコンを監視することによって無線近傍を判断することができる。ＷＴＲＵが監視するビーコンの数は、ネットワークによってＷＴＲＵに提供されることができる。あるいは、ＷＴＲＵは、ＷＬＡＮ  ＡＰにプローブ要求を送信し、プローブ応答を待つこともできる。
【００７４】
ＷＴＲＵおよびＷＬＡＮ  ＡＰが、ＷＬＡＮ無線近傍を判断した後、ＷＴＲＵおよびＷＬＡＮ  ＡＰは、次にこのＷＬＡＮ発見の結果についてネットワークにシグナリングすることができる。この情報に基づいてネットワークは、次に、このＷＬＡＮ近傍接続要求のためにユーザプレーンパスを確立するかどうかを判断することができる。
【００７５】
発見プロセスが完了した後、ネットワーク（ｅＮＢ、ＭＭＥまたは同様のネットワークノード）は、接続確立手続きを開始するように構成されることができる。ネットワークは、ＷＴＲＵに構成情報を提供して接続確立を行うことができる。この情報は、ＲＲＣまたはＮＡＳメッセージを通じて送信されることができる。この構成情報は、次の情報のうちの１または複数を含むことができる。例えば、構成情報は、ＷＬＡＮ  ＡＰへアソシエートするためのアソシエーションパラメータ（例えば、データレート、ＷＰＡ、ＷＰＡ２などのセキュリティキー）を含むことができる。別の例では、構成情報は、ＷＴＲＵへの（例えば、ＱｏＳ（すなわち、８０２．１１ｅ）をサポートするＷＬＡＮのための）ＱｏＳアクセスカテゴリ（ＡＣ）を含むことができる。別の例では、構成情報は、８０２．１１の直接リンク特性に関する能力を識別することができる。例えば、トンネル化直接リンク（tunneled Direct Link：ＴＤＬＳ）が使用されることが可能である場合、または８０２．１１ｚベースの直接リンクが使用されることが可能である場合、ネットワークからの構成情報は信号で伝える（signal）ことができる。この情報は、ＷＴＲＵが直接リンク特性を使用する場合、シグナリングされることができる。別の例では、構成情報は、このＷＬＡＮ  ＰｒｏＳｅ接続が確立されている期間を識別することができる。別の例では、構成情報は、その後リンクが切断される可能性がある非活動期間を識別することができる。これは、ＷＬＡＮ  ＰｒｏＳｅ接続上でデータ伝送がない場合、リンクが切断される可能性がある期間である。別の例では、構成情報は、ＷＴＲＵがＷＬＡＮにおいてコンテンションベースのアクセスまたはコンテンションのないアクセスを行うことができるかどうかを含むことができる。
【００７６】
ＷＴＲＵがネットワークからこれらの構成を受信する時、それは、ＷＬＡＮ  ＰｒｏＳｅ接続を始めよというネットワークからの暗黙的表示であることが可能であり、次にＷＴＲＵからのＰｒｏＳｅデータの一部または全部が、ＷＬＡＮを通じて送信されることが可能である。あるいは、ネットワークは、ＷＬＡＮ  ＰｒｏＳｅ接続の開始を示す既存のまたは新しいＲＲＣまたはＮＡＳメッセージとして、明示的表示を送信することができる。ＷＴＲＵおよびネットワークが、データ伝送のためのデータ無線ベアラをすでに確立している場合、ネットワークは、ＷＬＡＮ／Ｗｉ−Ｆｉパスに切り換えられる必要のある（１または複数の）ベアラの識別を示すこともできる。ネットワークは、ＷＴＲＵにターゲットアドレス、例えば宛先インターネットプロトコル（ＩＰ）および他のＷＴＲＵのＭＡＣアドレスを示すこともできる。
【００７７】
ＷＴＲＵおよびネットワークは、トリガに基づいて接続終了を開始するように構成されることが可能である。例えば、接続終了のトリガは、以下を含むことができる：１）近傍データセッションが終了した、２）ＷＴＲＵの１つがＷＬＡＮ  ＡＰのカバレッジから出た、３）ＬＴＥ／セルラネットワークは、輻輳していないと判断される、４）ＷＬＡＮネットワークは、輻輳していると判断される、５）電池節約、６）ＷＬＡＮ／Ｗｉ−ＦｉオフロードをサポートしていないｅＮＢへのハンドオーバ、および７）アプリケーションからより安全な通信を求める要求が受信される。
【００７８】
ネットワークにより開始される接続終了については、ネットワークは、ＷＬＡＮ  ＡＰがＷＬＡＮ  ＰｒｏＳｅ接続を終了するという要求を送信することができる。ＷＬＡＮ  ＡＰは、次に接続を切断し、ＷＬＡＮ  ＰｒｏＳｅ接続が非活性化されたことをＷＴＲＵにシグナリングすることができる。あるいは、ネットワークは、ＷＴＲＵに直接知らせることができ、ＷＴＲＵは、ＷＬＡＮ接続切断手続きを開始することができる。
【００７９】
ＷＴＲＵにより開始される接続終了については、ＷＴＲＵが、ＷＬＡＮ  ＡＰおよびネットワークに、それがＷＬＡＮ  ＰｒｏＳｅ接続またはセッションを離れようとしていることを示すメッセージを送信するように構成されることが可能であり、ＬＴＥネットワークまたはＷＬＡＮ  ＡＰは、次にセッション終了について他のＷＴＲＵにメッセージを送信することができる。
【００８０】
図７は、ＷＬＡＮ  ＡＰによるＷＬＡＮ  ＰｒｏＳｅ接続性の例示的方法のフローチャート７００を示す。ＷＬＡＮ  ＰｒｏＳｅ対応ＷＴＲＵが、ＬＴＥネットワークにＷＴＲＵの能力をシグナリングする（７０５）。ネットワークは、本明細書で上述するようにある状況においてＷＬＡＮ  ＡＰ発見を行う必要があることがある（７１０）。ネットワークは、ＷＴＲＵからＷＬＡＮ  ＰｒｏＳｅ接続の要求を受信する、あるいは本明細書で上述するようにＷＬＡＮ  ＰｒｏＳｅ接続をトリガすることがあり（７１５）、次に３ＧＰＰまたはＬＴＥベースのＷＬＡＮ  ＰｒｏＳｅ発見プロセスを開始することがある（７２０）。ＷＴＲＵおよびＷＬＡＮ  ＡＰは、次にＷＬＡＮ無線、およびネットワークによって提供される情報を使用して、それらが互いのＷＬＡＮ無線近傍にいるかどうかを判断することができる（７２５）。発見プロセスが完了した後、ネットワーク（ｅＮＢ、ＭＭＥ、または同様のネットワークノード）は、接続確立手続きを開始するように構成されることが可能である（７３０）。
【００８１】
少なくとも２つのＷＬＡＮ  ＰｒｏＳｅ対応ＷＴＲＵ間の直接リンク接続方法が本明細書に記載される。この実施形態では、ＷＬＡＮ  ＰｒｏＳｅ対応ＷＴＲＵは、ＰｒｏＳｅサーバまたは別のＬＴＥネットワークノードに登録されることが可能である。例えば、ＷＬＡＮ  ＰｒｏＳｅ対応ＷＴＲＵは、ＷＬＡＮ情報を自ら近傍サービスに登録するまたは送信することができる。このＷＬＡＮ  ＷＴＲＵ  ＰｒｏＳｅサーバ登録は、例えば登録時に、またはＰｒｏＳｅサーバへのアプリケーションレベル明示的メッセージにより、行われることが可能である。
【００８２】
一実施形態では、ＷＬＡＮ  ＰｒｏＳｅ対応ＷＴＲＵは、それ自体を近傍サーバに登録することができる。この登録は、ＷＬＡＮ  ＰｒｏＳｅ対応ＷＴＲＵがＷＬＡＮ  ＰｒｏＳｅをサポートすることを示すことができる。ＷＬＡＮ  ＰｒｏＳｅ対応ＷＴＲＵは、登録における能力関連パラメータ（例えば、サポートされるデータレート、サポートされるセキュリティプロトコル、および暗号化方法）、並びにＷＬＡＮ  ＡＰにアクセスするために必要なＷＬＡＮ／Ｗｉ−Ｆｉ動作に関連する他の能力を含むことができる。
【００８３】
別の実施形態では、ＷＬＡＮ  ＰｒｏＳｅ対応ＷＴＲＵは、位置情報、例えば近傍エリア、位置エリア、トラッキングエリアなどを提供することもできる。
【００８４】
別の実施形態では、ＷＬＡＮ  ＰｒｏＳｅ対応ＷＴＲＵは、その後、ＷＬＡＮ  ＰｒｏＳｅ対応ＷＴＲＵに（本明細書で上述するように）情報のリストを提供して、構成プロセスにおいてそれを支援することができるＬＴＥネットワークから制御シグナリングを受信することができる。このような情報は、ＷＬＡＮ  ＡＰのための近傍サービスの登録中に交換される情報の１つまたは組合せを含むことができ、例えば、ＷＬＡＮネットワークアイデンティティ情報、セキュリティ情報、または位置情報を含むことができる。
【００８５】
ネットワークは、ＰｒｏＳｅ接続の要求を受信することができる。この要求は、ＰｒｏＳｅ接続が確立されることが可能である他のＷＴＲＵを含んだ識別情報（例えば、近傍ＩＤ、アプリケーションＩＤまたは他の形式の識別）を含むことができる。ネットワークは、ＷＬＡＮ  ＰｒｏＳｅの発見をトリガすることを判断することができる。この判断への応答において、ネットワークは、ＷＬＡＮ発見プロセスのために対応するＷＬＡＮ  ＰｒｏＳｅ識別を送信する。ＷＬＡＮ  ＰｒｏＳｅ識別は、構成情報の一部として、または発見段階においてのみ別個に、送信されることができる。ｅＮＢは、次に、ＥＰＣネットワーク中の近傍サーバ（ＰｒｏＳｅサーバ）またはＭＭＥまたは何らかの他のノードに問い合わせすることができる。ＷＬＡＮ  ＰｒｏＳｅアイデンティティを提供するネットワークノードは、ＰｒｏＳｅ  ＩＤと対応するＷＬＡＮ  ＰｒｏＳｅ  ＩＤとのマッピングを判断することができる。近傍ＩＤで問い合わせされるとき、ネットワークノードは、ＷＬＡＮ  ＰｒｏＳｅ  ＩＤを返すことができる。このＷＬＡＮ  ＰｒｏＳｅ  ＩＤは、ＷＬＡＮ  ＰｒｏＳｅ発見のために要求中のＷＴＲＵに送信されることが可能である。ＷＬＡＮ  ＰｒｏＳｅ発見は、セルラネットワークによって支援されることが可能である。
【００８６】
ネットワークは、ＷＬＡＮ発見を行うためにビーコンまたはプロ−ブ機構が使用されることが可能であるかどうか（すなわち、パッシブ発見か、アクティブ発見か）を表示する通知を、ＷＬＡＮ  ＷＴＲＵに送信することができる。アクティブ発見の場合、各ＷＴＲＵまたはＷＴＲＵの１つが、他のＷＴＲＵにプローブ要求メッセージを送信することができる。このプローブ要求メッセージは、ネットワークから受信された構成情報を含むことができる。ＷＬＡＮ  ＰｒｏＳｅ  ＷＴＲＵは、プローブ要求メッセージからの返信（すなわち、プローブ応答メッセージ）に基づいて、発見を完了することができる可能性がある。このプローブ応答メッセージが受信されると、ＷＴＲＵは、ネットワークがＷＬＡＮ  ＰｒｏＳｅ  ＷＴＲＵ間にユーザプレーン接続を確立することができるように、発見情報をネットワークに送信することができる。ネットワークはまた、他のＷＴＲＵが発見されることがないと判断するまでに送信されるプローブ応答の最大数を示すメッセージを、ＷＴＲＵに送信することができる。
【００８７】
発見プロセスが成功した後、ネットワークは、ＷＬＡＮ  ＰｒｏＳｅ接続のためにデータプレーンを可能にすることができる。ネットワークは、ＷＴＲＵに構成情報を提供することができる。ＷＬＡＮ  ＡＰ情報を含む上述の構成情報に加えて、ネットワークは、少なくとも次の構成情報を提供するように構成されることが可能である。この構成情報は、例えば、ＰｒｏＳＥデバイス間の直接ＷＬＡＮ通信のタイプ（例えば、デバイス間の直接通信の、ＷＬＡＮアドホックネットワークまたはＷＬＡＮ／Ｗｉ−Ｆｉダイレクトタイプ）を含むことができる。別の例では、構成情報は、使用されるアドホックネットワークのＳＳＩＤ、またはＷｉ−Ｆｉダイレクトの場合は使用されるホットスポットの名前を含むことができる。別の例では、構成情報は、ビーコンでＳＳＩＤをブロードキャストするかどうかをデバイスに知らせることができるネットワークを含むことができ、ＳＳＩＤがブロードキャストされない場合、ＷＬＡＮ  ＷＴＲＵは、発見のためにプローブ機構を使用する必要があることがある。別の例では、構成情報は、デバイスがアドホックネットワークビーコンをブロードキャストできるかどうかを含むことができる（ビーコン送信は、ＷＬＡＮアドホックネットワークでは複数のＷＴＲＵ間で共有されることに留意されたい）。別の例では、構成情報は、ＷＬＡＮ  ＰｒｏＳｅ接続に含まれるＷＴＲＵのそれぞれに対してアドホックネットワーク用のセキュリティキーを含むことができる。
【００８８】
この方法の接続終了プロセスは、本明細書で上述したように行われることが可能である。あるいは、ネットワークにより開始される接続終了の場合、ネットワークは、ＷＴＲＵにＷＬＡＮ接続切断手続きを開始するよう直接知らせることができる。
【００８９】
図８は、少なくとも２つのＷＬＡＮ  ＰｒｏＳｅ対応ＷＴＲＵ間の直接リンク接続のフローチャート８００を示す。ＷＬＡＮ  ＰｒｏＳｅ対応ＷＴＲＵは、ＰｒｏＳｅサーバまたは別のＬＴＥネットワークノードに登録されることが可能である（８０５）。ネットワークは、ＰｒｏＳｅ接続の要求を受信することがあり（８１０）、ＷＬＡＮ  ＰｒｏＳｅのための発見をトリガすることができる（８１５）。ＷＴＲＵ  ＰｒｏＳｅ対応ＷＴＲＵは、次に発見を行うことができる（８２０）。発見プロセスが成功した後、ネットワークは、ＷＴＲＵに構成情報を送信して、他のＷＬＡＮ  ＰｒｏＳｅ対応ＷＴＲＵと直接ＷＬＡＮ  ＰｒｏＳｅ接続を確立する（８２５）。
【００９０】
概して図９は、ＷＬＡＮ  ＰｒｏＳｅ接続を可能にする方法のフローチャート９００である。トリガが活性化されて、ＷＬＡＮ  ＰｒｏＳｅ接続の確立を開始する（９０５）。発見プロセスが行われて、少なくとも２つのＰｒｏＳｅ対応ＷＴＲＵがあるかどうかを判断する（９１０）。ネットワークは、ＷＴＲＵに構成情報を送信して、ＷＬＡＮ  ＰｒｏＳｅ接続を確立する（９１５）。
【００９１】
実施形態
１．第１のＷＬＡＮ  ＰｒｏＳｅ対応無線送受信ユニット（ＷＴＲＵ）と第２のＷＬＡＮ  ＰｒｏＳｅ対応ＷＴＲＵとの間の無線ローカルエリアネットワーク（ＷＬＡＮ）近傍サービス（ＰｒｏＳｅ）接続性を確立するための方法であって、第１のＷＬＡＮ  ＰｒｏＳｅ対応ＷＴＲＵから第２のＷＬＡＮ  ＰｒｏＳｅ対応ＷＴＲＵへのＷＬＡＮ  ＰｒｏＳｅ接続を確立する要求を受信するステップを含み、要求は、少なくとも第２のＷＬＡＮ  ＰｒｏＳｅ対応ＷＴＲＵの識別を含む、方法。
【００９２】
２．第２のＷＬＡＮ  ＰｒｏＳｅ対応ＷＴＲＵの識別と関連付けられたＷＬＡＮ  ＰｒｏＳｅ  ＩＤ、および第１のＷＬＡＮ  ＰｒｏＳｅ対応ＷＴＲＵと関連付けられたＷＬＡＮ  ＰｒｏＳｅ  ＩＤを、所定のエリアで発見されたＷＬＡＮアクセスポイント（ＡＰ）に送信するステップをさらに含む、実施形態１に記載の方法。
【００９３】
３．第１のＷＬＡＮ  ＰｒｏＳｅ対応ＷＴＲＵおよび第２のＷＬＡＮ  ＰｒｏＳｅ対応ＷＴＲＵに、ＷＬＡＮ  ＡＰと関連付けられた情報と共に構成メッセージを送信して、ＷＬＡＮ  ＰｒｏＳｅ接続を開始するステップをさらに含む、実施形態１または２に記載の方法。
【００９４】
４．第１のＷＬＡＮ  ＰｒｏＳｅ対応ＷＴＲＵおよび第２のＷＬＡＮ  ＰｒｏＳｅ対応ＷＴＲＵのＷＬＡＮ  ＰｒｏＳｅ能力を判断するステップをさらに含む、実施形態１から３のいずれかに記載の方法。
【００９５】
５．少なくとも１つのＷＬＡＮアクセスポイント（ＡＰ）の発見を行うステップをさらに含む、実施形態１から４のいずれかに記載の方法。
【００９６】
６．少なくとも１つのＷＬＡＮ  ＡＰから構成情報を受信するステップをさらに含む、実施形態１から５のいずれかに記載の方法。
【００９７】
７．ＰｒｏＳｅサーバにＷＬＡＮ  ＡＰのリストおよび関連付けられた構成情報を問い合わせするステップをさらに含む、実施形態１から６のいずれかに記載の方法。
【００９８】
８．構成メッセージは、ＷＬＡＮ  ＰｒｏＳｅ接続を開始するための暗黙的表示である、実施形態１から７のいずれかに記載の方法。
【００９９】
９．構成メッセージは、ＷＬＡＮ  ＰｒｏＳｅ接続を開始するための明示的表示を含む、実施形態１から８のいずれかに記載の方法。
【０１００】
１０．構成メッセージは、無線リソース制御（ＲＲＣ）または非アクセス層（ＮＡＳ）メッセージのうちの１つである、実施形態１から９のいずれかに記載の方法。
【０１０１】
１１．ＷＬＡＮ  ＰｒｏＳｅ接続に切り換えられる必要がある確立された無線ベアラの識別を送信するステップをさらに含む、実施形態１から１０のいずれかに記載の方法。
【０１０２】
１２．第２のＷＬＡＮ  ＰｒｏＳｅ対応ＷＴＲＵのアドレス情報を第１のＷＬＡＮ  ＰｒｏＳｅ対応ＷＴＲＵに送信するステップをさらに含む、実施形態１から１１のいずれかに記載の方法。
【０１０３】
１３．第１のＷＬＡＮ  ＰｒｏＳｅ対応無線送受信ユニット（ＷＴＲＵ）における、第２のＷＬＡＮ  ＰｒｏＳｅ対応ＷＴＲＵと直接無線ローカルエリアネットワーク（ＷＬＡＮ）近傍サービス（ＰｒｏＳｅ）接続性を確立するための方法であって、第１のＷＬＡＮ  ＰｒｏＳｅ対応ＷＴＲＵからの、第２のＷＬＡＮ  ＰｒｏＳｅ対応ＷＴＲＵとＷＬＡＮ  ＰｒｏＳｅ接続を確立する要求を送信するステップを含み、要求は、少なくとも第２のＷＬＡＮ  ＰｒｏＳｅ対応ＷＴＲＵの識別を含む、方法。
【０１０４】
１４．第２のＷＬＡＮ  ＰｒｏＳｅ対応ＷＴＲＵの識別と関連付けられたＷＬＡＮ  ＰｒｏＳｅ  ＩＤを受信して、ＷＬＡＮ  ＰｒｏＳｅ発見を行うステップをさらに含む、実施形態１３に記載の方法。
【０１０５】
１５．第２のＷＬＡＮ  ＰｒｏＳｅ対応ＷＴＲＵと関連付けられた構成メッセージを受信して、ＷＬＡＮ  ＰｒｏＳｅ接続を開始するステップをさらに含む、実施形態１３または１４に記載の方法。
【０１０６】
１６．構成メッセージに基づいて、第２のＷＬＡＮ  ＰｒｏＳｅ対応ＷＴＲＵと直接ＷＬＡＮ  ＰｒｏＳｅ接続を確立するステップをさらに含む、実施形態１３から１５のいずれかに記載の方法。
【０１０７】
１７．ＷＬＡＮ  ＰｒｏＳｅ能力をネットワークノードに送信するステップをさらに含む、実施形態１３から１６のいずれかに記載の方法。
【０１０８】
１８．ＷＬＡＮ  ＰｒｏＳｅ  ＩＤを使用して発見プロセスを行うステップをさらに含む、実施形態１３から１７のいずれかに記載の方法。
【０１０９】
１９．第１のＷＬＡＮ  ＰｒｏＳｅ対応ＷＴＲＵの位置情報をネットワークノードに送信するステップをさらに含む、実施形態１３から１８のいずれかに記載の方法。
【０１１０】
２０．構成メッセージは、無線リソース制御（ＲＲＣ）または非アクセス層（ＮＡＳ）メッセージのうちの１つである、実施形態１３から１９のいずれかに記載の方法。
【０１１１】
２１．構成情報は、第２のＷＬＡＮ  ＰｒｏＳｅ対応ＷＴＲＵのＷＬＡＮ  ＩＤ、第２のＷＬＡＮ  ＰｒｏＳｅ対応ＷＴＲＵの媒体アクセス制御（ＭＡＣ）ＩＤ、周波数もしくはチャネル数、ビーコン間隔、およびタイミング情報のうちの少なくとも１つを含む、実施形態１３から２０のいずれかに記載の方法。
【０１１２】
２２．第２のＷＬＡＮ  ＰｒｏＳｅ無線送受信ユニット（ＷＴＲＵ）へＷＬＡＮ  ＰｒｏＳｅ接続を確立する要求を送信するように構成された送信機を含み、要求は、少なくとも第２のＷＬＡＮ  ＰｒｏＳｅ  ＷＴＲＵの識別を含む、ＷＴＲＵＷＬＡＮ  ＰｒｏＳｅ対応無線送受信ユニット（ＷＴＲＵ）。
【０１１３】
２３．第２のＷＬＡＮ  ＰｒｏＳｅ  ＷＴＲＵの識別と関連付けられたＷＬＡＮ  ＰｒｏＳｅ  ＩＤを受信して、ＷＬＡＮ  ＰｒｏＳｅ発見を行うように構成された受信機をさらに含む、実施形態２２に記載のＷＴＲＵ。
【０１１４】
２４．第２のＷＬＡＮ  ＰｒｏＳｅ  ＷＴＲＵと関連付けられた構成メッセージを受信して、ＷＬＡＮ  ＰｒｏＳｅ接続を開始するように構成された受信機をさらに含む、実施形態２２または２３に記載のＷＴＲＵ。
【０１１５】
２５．構成メッセージに基づいて第２のＷＬＡＮ  ＰｒｏＳｅ  ＷＴＲＵと直接ＷＬＡＮ  ＰｒｏＳｅ接続を確立するように構成された、送信機、受信機、およびプロセッサをさらに含む、実施形態２２から２４に記載のＷＴＲＵ。
【０１１６】
２６．ＷＬＡＮ  ＰｒｏＳｅ  ＩＤを使用して発見を行うように構成された、送信機、受信機、およびプロセッサをさらに含む、実施形態２２から２５に記載のＷＴＲＵ。
【０１１７】
２７．構成メッセージは、無線リソース制御（ＲＲＣ）または非アクセス層（ＮＡＳ）メッセージのうちの１つである、実施形態２２から２６に記載のＷＴＲＵ。
【０１１８】
２８．構成情報は、第２のＷＬＡＮ  ＰｒｏＳｅ対応ＷＴＲＵのＷＬＡＮ  ＩＤ、第２のＷＬＡＮ  ＰｒｏＳｅ対応ＷＴＲＵの媒体アクセス制御（ＭＡＣ）ＩＤ、周波数もしくはチャネル数、ビーコン間隔、およびタイミング情報のうちの少なくとも１つを含む、実施形態２２から２７のＷＴＲＵ。
【０１１９】
２９．無線送受信ユニット（ＷＴＲＵ）のための近傍ベースの無線ローカルエリアネットワーク（ＷＬＡＮ）サービスを可能にするステップを含む方法。
【０１２０】
３０．ＷＬＡＮ  ＰｒｏＳｅセッションの確立をトリガするステップをさらに含む、実施形態１から２１および２９のいずれかに記載の方法。
【０１２１】
３１．トリガは、ＷＴＲＵにおいて設定されるユーザ選好に基づいている、実施形態１から２１および２９または３０のいずれかに記載の方法。
【０１２２】
３２．トリガは、アプリケーション選好に基づいている、実施形態１から２１および２９から３１のいずれかに記載の方法。
【０１２３】
３３．トリガは、通信セッションにおいて第２のＷＴＲＵによって開始される、実施形態１から２１および２９から３２のいずれかに記載の方法。
【０１２４】
３４．トリガするステップは、公共安全要求に基づいて開始される、実施形態１から２１および２９から３３のいずれかに記載の方法。
【０１２５】
３５．ネットワークノードは、ＷＬＡＮ対応ＷＴＲＵにＷＬＡＮ測定を行うように要求する、実施形態１から２１および２９から３４のいずれかに記載の方法。
【０１２６】
３６．ネットワークノードは、ＷＴＲＵがＷＬＡＮ  ＡＰまたは他のＷＬＡＮ対応ＷＴＲＵとの近傍にあるかどうかを判断する、実施形態１から２１および２９から３５のいずれかに記載の方法。
【０１２７】
３７．判断に基づいてトリガを開始するステップをさらに含む、実施形態１から２１および２９から３６のいずれかに記載の方法。
【０１２８】
３８．複数のＷＴＲＵがＷＬＡＮ能力をサポートする近傍サービス（ＰｒｏＳｅ）エリアに入ったと判断するステップと、トリガを開始するステップとをさらに含む、実施形態１から２１および２９から３７のいずれかに記載の方法。
【０１２９】
３９．トリガは、ネットワークの負荷状況に基づいている、実施形態１から２１および２９から３８のいずれかに記載の方法。
【０１３０】
４０．ＰｒｏＳｅ対応ＷＴＲＵは、そのＷＬＡＮ能力をネットワークに知らせる、実施形態１から２１および２９から３９のいずれかに記載の方法。
【０１３１】
４１．所定のエリアにおいてＷＬＡＮ  ＡＰをネットワークにより発見するステップをさらに含む、実施形態１から２１および２９から４０のいずれかに記載の方法。
【０１３２】
４２．ＷＬＡＮアクセスポイント（ＡＰ）は、ネットワークノードと並置される、実施形態１から２１および２９から４１のいずれかに記載の方法。
【０１３３】
４３．ＷＬＡＮ  ＡＰに関する情報は、ネットワークデータベースに格納される、実施形態１から２１および２９から４２のいずれかに記載の方法。
【０１３４】
４４．ＡＰをネットワークノードに登録するステップをさらに含む、実施形態１から２１および２９から４３のいずれかに記載の方法。
【０１３５】
４５．ＷＴＲＵのために発見プロセスを開始するステップをさらに含む、実施形態１から２１および２９から４４のいずれかに記載の方法。
【０１３６】
４６．少なくとも１つの他のＷＴＲＵの近傍を判断する、実施形態１から２１および２９から４５のいずれかに記載の方法。
【０１３７】
４７．ＰｒｏＳｅ接続の要求を送信する、実施形態１から２１および２９から４６のいずれかに記載の方法。
【０１３８】
４８．要求は識別情報を含む、実施形態１から２１および２９から４７のいずれかに記載の方法。
【０１３９】
４９．ＷＬＡＮ発見プロセスを開始するステップをさらに含む、実施形態１から２１および２９から４８のいずれかに記載の方法。
【０１４０】
５０．ネットワークノードをさらに含む、実施形態１から２１および２９から４９のいずれかに記載の方法。
【０１４１】
５１．ＷＬＡＮ  ＰｒｏＳｅ  ＩＤに基づいて近傍接続を要求している少なくとも２つのＷＴＲＵを発見するステップをさらに含む、実施形態１から２１および２９から５０のいずれかに記載の方法。
【０１４２】
５２．ＷＬＡＮ  ＰｒｏＳｅ  ＩＤは、ＷＴＲＵのＷＬＡＮインタフェースインターネットプロトコル（ＩＰ）アドレス、ＷＴＲＵの媒体アクセス制御（ＭＡＣ）ＩＤ、ユーザによって設定されたもしくはネットワークによって割り当てられたデバイス名、およびＷＬＡＮ  ＡＰによって割り当てられたデバイス固有のアイデンティティのうちの少なくとも１つを含む、実施形態１から２１および２９から５１のいずれかに記載の方法。
【０１４３】
５３．ＷＬＡＮ  ＡＰ情報は送信される、実施形態１から２１および２９から５２のいずれかに記載の方法。
【０１４４】
５４．ＷＬＡＮ  ＡＰ情報は、ＷＬＡＮ  ＡＰサービスセット識別（ＳＳＩＤ）または基本サービスセット識別（ＢＳＳＩＤ）、周波数および／またはチャネル数、ＡＰによってサポートされる８０２．１１技術のタイプ、ビーコン間隔、並びに同期情報のうちの１つである、実施形態１から２１および２９から５３のいずれかに記載の方法。
【０１４５】
５５．発見プロセス結果をネットワークに知らせるステップをさらに含む、実施形態１から２１および２９から５４のいずれかに記載の方法。
【０１４６】
５６．Ｗｉ−Ｆｉ  ＡＰを登録するステップをさらに含み、登録がパラメータを含む、実施形態１から２１および２９から５５のいずれかに記載の方法。
【０１４７】
５７．パラメータは、ＷＬＡＮ  ＡＰアイデンティティ関連情報を含む、実施形態１から２１および２９から５６のいずれかに記載の方法。
【０１４８】
５８．パラメータは、セキュリティ関連情報を含む、実施形態１から２１および２９から５７のいずれかに記載の方法。
【０１４９】
５９．パラメータは、位置関連情報を含む、実施形態１から２１および２９から５８のいずれかに記載の方法。
【０１５０】
６０．構成情報がＷＴＲＵに提供されて、接続を確立する、実施形態１から２１および２９から５９のいずれかに記載の方法。
【０１５１】
６１．接続終了のためにトリガが受信される、実施形態１から２１および２９から６０のいずれかに記載の方法。
【０１５２】
６２．少なくとも２つのＷＬＡＮ  ＰｒｏＳｅ  ＷＴＲＵ間に、直接リンクが確立される、実施形態１から２１および２９から６１のいずれかに記載の方法。
【０１５３】
６３．無線リソース制御（ＲＲＣ）または非アクセス層（ＮＡＳ）シグナリングによりＷＴＲＵに構成情報を提供するステップをさらに含む、実施形態１から２１および２９から６２のいずれかに記載の方法。
【０１５４】
特徴および要素が特定の組合せで上述されているが、各特徴または要素は、単独で、または他の特徴および要素とのいかなる組合せでも使用される可能性があることを当業者は理解するであろう。さらに、本明細書に記載された方法は、コンピュータまたはプロセッサにより実行するためにコンピュータ可読媒体に組み込まれたコンピュータプログラム、ソフトウェア、またはファームウェアで実行されることが可能である。コンピュータ可読媒体の例は、（有線接続または無線接続を通じて伝送される）電子信号、およびコンピュータ可読記憶媒体を含む。コンピュータ可読記憶媒体の例は、読み出し専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、並びにＣＤ−ＲＯＭディスクおよびデジタル多用途ディスク（ＤＶＤ）などの光媒体を含むが、これらに限定されない。ソフトウェアと関連したプロセッサが使用されて、ＷＴＲＵ、ＵＥ、端末、基地局、ＲＮＣ、またはいずれかのホストコンピュータで使用する無線周波数トランシーバを実行することができる。
【図１Ａ】
0006560183.tif 000002
【図１Ｂ】
0006560183.tif 000003
【図１Ｃ】
0006560183.tif 000004
【図２】
0006560183.tif 000005
【図３】
0006560183.tif 000006
【図４】
0006560183.tif 000007
【図５】
0006560183.tif 000008
【図６】
0006560183.tif 000009
【図７】
0006560183.tif 000010
【図８】
0006560183.tif 000011
【図９】
0006560183.tif 000012